(57)【要約】【課題】  テレビやラジオなどを視聴していない時でも、これらの緊急告知放送が出された時は、それを即座に知らせることの出来る緊急警報生活器具を提供する。【解決手段】  電源１４と、ランプの電球１６を有する他、ＦＭラジオ波を受信する受信器１０と、上記受信器１０の出力を入力し、その入力信号から、ある周波数を帯域の信号だけを取り出すＣＲフィルタ回路１１と、その特定帯域の信号入力によって作動し、上記受信器１０の出力を後述するアンプ１２に繋げる緊急警報回路１と、受信器１０の出力を増幅するアンプ１２と、その増幅信号を出力するスピーカ１３と、上記緊急警報回路１が作動する時に、ランプの電球１６の電源をＯＮするスイッチ１５とを備えている。【選択図】    図２
0003157377.tif 000002
【実用新案登録請求の範囲】
【請求項１】
常に電源に接続されており、人の傍で日常使用されている、ラジオを除く、器具本体内に、緊急告知放送信号を受信する受信器と、その信号を受信すると自動起動する緊急警報回路とを備え、該緊急警報回路が特定の信号を受信した時だけ自動起動して緊急告知乃至それに従ったアラート出力を発することを特徴とする緊急警報生活器具。
【請求項２】
緊急告知乃至それに従ったアラート出力を発した後、その緊急告知乃至アラート出力を終了する特定の信号を受信器が受信し、それを緊急警報回路に出力した時に、以後その緊急告知放送信号の受信を開放することを特徴とする請求項１記載の緊急警報生活器具。
【請求項３】
上記緊急警報生活器具は、家電製品であることを特徴とする請求項１又は２記載の緊急警報生活器具。
【請求項４】
上記緊急警報生活器具は、ベッドサイドスタンドであり、消灯中でも、上記緊急警報回路が緊急告知放送信号を受信すると自動起動し、同時に点灯して、その周囲を明るくすることを特徴とする請求項３記載の緊急警報生活器具。
【請求項５】
上記緊急警報生活器具は、情報端末機器であることを特徴とする請求項１〜３いずれか１つに記載の緊急警報生活器具。
【考案の詳細な説明】
【技術分野】
【０００１】
本考案は、日常人の傍らで使用され且つ緊急警報信号が受信された時に自動起動してその警報を知らせる寝室照明器具などの緊急警報生活器具に関する。
【背景技術】
【０００２】
ラジオやテレビをつけている時に、地震が起き、これから各地に地震が伝わるなど、緊急地震速報を視聴者が受ける機会がある。これは、公的機関、自治体、気象庁や各放送局などの取り決めで、緊急時に、公衆に即時にこれから起こる事態や、発生した被害を知らせるため、電波に特定の信号を載せ、ラジオやテレビの電源が付いている時には、それらの内容を警報として即時に伝達し、被害をなるべく小さくし、或いは避難を促すなど、一定の目的のために、使用されるものである。
【０００３】
これらの緊急告知放送には、緊急地震速報と緊急警報放送がある。
【０００４】
そのうち、緊急地震速報は、気象庁が情報発信機関であり、気象庁からの地震発生情報を各放送局が即座に受け取り、その情報を元にＮＨＫでは、最大震度５弱、民放では主に最大震度５強以上の場合に自動的に放送されるものである。一般に「ピロンピローン」というチャイム音を２回繰り返した後に、例えば「地震が発生しました。強い揺れが来ますので慌てずに避難行動をとってください。」といった、早急に待避行動を促すアナウンスを放送する。
【０００５】
他方、緊急警報放送は、気象庁・内閣府・地方自治体が情報発信機関であり、法律で定められた放送であって、大規模地震の警戒宣言が発せられた時、又は津波警報が発せられた時、地方自治体の長からの放送要請があった時に、主にＮＨＫで放送されるものである。一般に「ピロピロ」という信号音の後に、例えば「地震の影響により津波が発生しました。今後の情報に注意して行動してください。」といった、避難勧告、警戒等を勧告するアナウンスを放送する。
【０００６】
ＮＨＫでは、下記特許文献１に示すように、このような緊急放送を受信するための特殊なＬＳＩチップを、他社と共に開発を行っている。
【特許文献１】特開２００７−２５１３３７号公報
【考案の開示】
【考案が解決しようとする課題】
【０００７】
ところが、このような警報は、ラジオやテレビで視聴している時にしか視聴した経験がないためか、一般には、周知されていないというのが現状である。
【０００８】
本考案は、以上のような問題に鑑み創案されたもので、テレビやラジオなどを視聴していない時でも、これらの緊急告知放送が出された時は、それを即座に知らせることの出来る緊急警報生活器具を提供せんとするものである。
【課題を解決するための手段】
【０００９】
本考案に係る緊急警報生活器具の構成は、常に電源に接続されており、人の傍で日常使用されている、ラジオを除く、器具本体内に、緊急告知放送信号を受信する受信器と、その信号を受信すると自動起動する緊急警報回路とを備え、該緊急警報回路が特定の信号を受信した時だけ自動起動して緊急告知乃至それに従ったアラート出力を発することを基本的特徴としている。
【００１０】
上記構成によれば、該器具が必ず電源に接続されており、且つ上記緊急警報回路が備えられているため、緊急告知放送信号を受信器が受信した時だけに該緊急警報回路が自動起動し、緊急告知乃至それに従ったアラート出力を発することになるため、そのユーザは、即座に避難・待避行動をとることができ、或いは警戒態勢が整うため、被害を最小限に抑えることが可能となる。尚、ラジオを除いたのは、特定のラジオ波を受信する受信器の構成が備えられていて、そこから受信する特定の信号に基づいて、緊急警報回路が自動起動するからである。
【００１１】
緊急告知放送信号が出された後、それを終了する信号が出される警報の場合と出されない警報の場合があるが、前者の場合、緊急告知乃至それに従ったアラート出力を発した後、その緊急告知乃至アラート出力を終了する特定の信号を受信器が受信し、それを緊急警報回路に出力した時に、以後その緊急告知放送信号の受信を開放するようにすると、使い勝手が良い。特に避難・待避行動をとっている際は、回路の電源を切っている余裕がないため、非常に便利である。
【００１２】
このような緊急警報生活器具としては、規定されているように、常に電源に接続されており、人の傍で、日常使用されている（ただしラジオを除く）生活器具、生活家電などが相当する。常に電源に接続されているというのは、上記のような信号が受信器に受信され且つ緊急警報回路に出力されたか否かを判別する必要があり、そのための最低限の電源を確保することが必要であるからであり、また自動起動させるためにもそうなっていなければならないからである。さらに人の傍で日常使用されている必要があるのは、人が傍に居るものでなければ、その緊急告知放送を聞くことが出来るチャンスがないからである。
【００１３】
従って、そのような緊急警報生活器具としては、常に電源に接続されており、人の傍で日常使用されているものであれば良く、家電製品が適している。例えば、照明器具やディスプレイなどのインテリア家電、コンセント類、扇風機、エアコン、時計などの家電製品全般や、煙探知機、火災報知器等の警報装置、或いはインターフォン等である。
【００１４】
そのような家電製品の中で、一番最適なものは、ベッドサイドスタンド（枕元スタンド）であろう。人が就寝中に地震が起きるなど、一番危険を感じるのは、寝ている間に地震やその他の災害が起きる時であり、その少し前にでも、このような緊急告知放送を聞くことが出来れば、起きて、避難・待避行動が即座にとることが出来るからである。従って、そのスタンドがスイッチオンになっていなく（消灯中）ても、緊急告知放送信号が受信器で受信され、その出力が緊急警報回路に受信されると、すぐに自動起動するようになっていれば安心である。その自動起動の際に、同時に点灯して、その周囲を明るくするようになっていれば、ユーザは更に安全な行動をとることが出来るようになる。
【００１５】
また、日常生活に欠かせない、パソコン、電話機、テレビなどの情報端末機もその対象となる。
【００１６】
加えて、家電製品には入らないが、エレベータやエスカレータなどの公共品もその対象となる。
【考案の効果】
【００１７】
以上のような本考案に係る緊急警報生活器具の構成によれば、テレビやラジオなどを視聴していない時でも、これらの緊急告知放送が出された時は、それを即座に知らせることの出来るようになるという優れた効果を奏し得る。すなわち、緊急警報生活器具は必ず電源に接続されており、且つ上記受信器と緊急警報回路が備えられていることが構成要件となっているため、緊急告知放送信号を受信した時だけに該緊急警報回路が自動起動し、緊急告知乃至それに従ったアラート出力を発することができ、そのため、ユーザは、即座に避難・待避行動をとることが可能となり、或いは警戒態勢が整うため、被害を最小限に抑えることが可能となる。
【００１８】
人が就寝中に地震が起きるなど、一番危険を感じるのは、寝ている間に地震やその他の災害が起きることであり、その少し前にでも、本考案に係る緊急警報生活器具であるベッドサイドスタンド（枕元スタンド）によって、このような緊急告知放送を聞くことが出来れば、起きて、避難・待避行動が即座にとることが出来るようになる。それは、消灯中でも、緊急告知放送信号が受信器に受信され、緊急警報回路に出力されると、すぐに自動起動するようになっているので、安心である。その自動起動の際に、同時に点灯して、その周囲を明るくするようになっていれば、更に安全な行動をとることが出来るようになる。
【考案を実施するための最良の形態】
【００１９】
以下、本考案の実施の形態を、説明する。
【実施例１】
【００２０】
図１は、本考案に係る構成を有するベッドサイドスタンド（枕元スタンド）１００の正面図、また図２は、その内部に備えられた構成を示す回路図である。
【００２１】
図１に示す正面図では、外観上普通のランプスタンド構成であり、これは、通常電源１４に接続されていて、就寝間際まで、人の傍で照明として使用され、その後消灯される。
【００２２】
このベッドサイドスタンド１００の内部には、上記図２に示す回路構成が備えられている。同図の回路構成としては、ランプスタンドの電源１４と、ランプの電球１６を有する他、ＦＭラジオ波を受信する受信器１０と、上記受信器１０の出力を入力し、その入力信号から、ある周波数を帯域の信号（「ピロンピローン」というチャイム音信号や「ピロピロ」という信号の音帯域）だけを取り出すＣＲフィルタ回路１１と、その特定帯域の信号入力によって作動し、上記受信器１０の出力を後述するアンプ１２に繋げる緊急警報回路１と、受信器１０の出力を増幅するアンプ１２と、その増幅信号を出力するスピーカ１３と、上記緊急警報回路１が作動する時に、ランプの電球１６の電源をＯＮするスイッチ１５とを備えている。
【００２３】
上記構成によれば、ベッドサイドスタンド１００が必ず電源１４に接続されており、且つ上記受信器１０と緊急警報回路１が備えられているため、受信器１０がＣＲフィルタ回路１１を介して緊急告知放送信号を受信した時だけに該緊急警報回路１が自動起動し、緊急告知情報を出力するため、そのユーザは、即座に避難・待避行動をとることができ、或いは警戒態勢が整うため、被害を最小限に抑えることが可能となる。
【００２４】
緊急告知放送信号が出された後、仮にそれを終了する信号が出される場合、緊急告知情報の出力を発した後、その緊急告知の出力を終了する特定の信号が受信器１０に受信され、且つその信号が緊急警報回路１に出力された時に、以後その緊急告知放送信号の受信を開放するようにすると、使い勝手が良い。特に避難・待避行動をとっている際は、回路の電源を切る余裕がないため、非常に便利である。
【００２５】
このように、ベッドサイドスタンド１００は、就寝の際（それだけではなく日中も）、常に電源１４に接続されており、人の傍で、日常使用されているので、上記のような信号を受信器１０が受信し、その信号を緊急警報回路１が受けたか否かが即座に判別され、また自動起動されるようになっている。従って人の傍で日常（特に就寝中）使用されており、人の傍にあるので、その緊急告知放送を必ず聞くことが出来ることになる。
【００２６】
人が就寝中に地震が起きるなど、一番危険を感じるのは、寝ている間に地震やその他の災害が起きる時であり、このような構成のベッドサイドスタンドが常時傍にあれば、その地震の伝搬がある少し前にでも、このような緊急告知放送を聞くことが出来るので、起きて、避難・待避行動が即座にとることが出来るようになる。
【００２７】
従って、そのスタンドがスイッチオフになっていても（消灯中でも）、緊急告知放送信号が受信器１０に受信されると、すぐに緊急警報回路１自動起動するようになっているので、ユーザは咄嗟に次の安全行動をとり万全の体制で備えることが可能となる。さらに、本実施例構成では、その自動起動の際に、緊急警報回路１がスイッチ１５をＯＮにして、同時に電球１６を点灯し、その周囲を明るくするようになっているので、ユーザは更に安全な行動をとることが出来るようになる。
【００２８】
また緊急告知放送信号が出された後、それを終了する信号が出される場合、本実施例構成では、緊急告知情報が出された後、その緊急告知情報の出力を終了する特定の信号が受信器１０で受信され、それを緊急警報回路１に出力した時に、受信器１０の出力をアンプ１２から開放すると共に、スイッチ１５を開放して、電源１４を切断するため、非常に使い勝手が良い。特に避難・待避行動をとっている際は、回路の電源を切る余裕がないため、非常に便利である。
【００２９】
以上の実施例の構成の他、常に電源に接続されており、人の傍で日常使用されているものであれば良く、その他の家電製品にも適用可能である。例えば、照明器具やディスプレイなどのインテリア家電、コンセント類、扇風機、エアコン、時計などの家電製品全般や、煙探知機、火災報知器等の警報装置、或いはインターフォン等である。
【００３０】
尚、本考案の緊急警報生活器具は、上述の図示例にのみ限定されるものではなく、本考案の要旨を逸脱しない範囲内において種々変更を加え得ることは勿論である。
【産業上の利用可能性】
【００３１】
本考案の緊急警報生活器具は、電化製品などに限らず、上述のように、通常は電源に繋げられており、人の傍で動作するものであれば、何にでも、ビルトインすることが可能である。
【図面の簡単な説明】
【００３２】
【図１】本考案に係る構成を有するベッドサイドスタンド１００の正面図である。
【図２】そのスタンド１００内部に備えられた構成を示す回路図である。
【符号の説明】
【００３３】
１      緊急警報回路
１０      受信器
１１      ＣＲフィルタ回路
１２      アンプ
１３      スピーカ
１４      電源
１５      スイッチ
１６      電球
１００      ベッドサイドスタンド
【図１】
0003157377.tif 000003
【図２】
0003157377.tif 000004
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
常に電源に接続されており、人の傍で日常使用されている、ラジオを除く、器具本体内に、緊急告知放送信号を受信する受信器と、その信号を受信すると自動起動する緊急警報回路とを備え、該緊急警報回路が特定の信号を受信した時だけ自動起動して緊急告知乃至それに従ったアラート出力を発することを特徴とする緊急警報生活器具。
【請求項２】
緊急告知乃至それに従ったアラート出力を発した後、その緊急告知乃至アラート出力を終了する特定の信号を受信器が受信し、それを緊急警報回路に出力した時に、以後その緊急告知放送信号の受信を開放することを特徴とする請求項１記載の緊急警報生活器具。
【請求項３】
上記緊急警報生活器具は、情報端末機器であることを特徴とする請求項１又は２記載の緊急警報生活器具。
【請求項４】
上記緊急警報生活器具は、家電製品であることを特徴とする請求項１又は２記載の緊急警報生活器具。
【請求項５】
上記緊急警報生活器具は、ベッドサイドスタンドであり、消灯中でも、上記緊急警報回路が緊急告知放送信号を受信すると自動起動し、同時に点灯して、その周囲を明るくすることを特徴とする請求項４記載の緊急警報生活器具。
【手続補正２】
【補正対象書類名】明細書
【補正対象項目名】０００４
【補正方法】変更
【補正の内容】
【０００４】
そのうち、緊急地震速報は、気象庁が情報発信機関であり、気象庁からの地震発生情報を各放送局が即座に受け取り、その情報を元に社団法人日本放送協会では、最大震度５弱、民放では主に最大震度５強以上の場合に自動的に放送されるものである。一般に「ピロンピローン」というチャイム音を２回繰り返した後に、例えば「地震が発生しました。強い揺れが来ますので慌てずに避難行動をとってください。」といった、早急に待避行動を促すアナウンスを放送する。
【手続補正３】
【補正対象書類名】明細書
【補正対象項目名】０００５
【補正方法】変更
【補正の内容】
【０００５】
他方、緊急警報放送は、気象庁・内閣府・地方自治体が情報発信機関であり、法律で定められた放送であって、大規模地震の警戒宣言が発せられた時、又は津波警報が発せられた時、地方自治体の長からの放送要請があった時に、主に社団法人日本放送協会で放送されるものである。一般に「ピロピロ」という信号音の後に、例えば「地震の影響により津波が発生しました。今後の情報に注意して行動してください。」といった、避難勧告、警戒等を勧告するアナウンスを放送する。
【手続補正４】
【補正対象書類名】明細書
【補正対象項目名】０００６
【補正方法】変更
【補正の内容】
【０００６】
社団法人日本放送協会では、下記特許文献１に示すように、このような緊急放送を受信するための特殊なＬＳＩチップを、他社と共に開発を行っている。
【特許文献１】特開２００７−２５１３３７号公報